(57)【要約】  アニマルトラップは、少なくとも一つの可動壁セクション（１３６，２２８，３１４）を有するトラップ（１０６，１０２，３０２）セクションであって、少なくとも一つの可動壁セクションは、トラップセクションのサイズが変化するようにトラップセクションの一つ以上のその他の壁に対して移動可能であるトラップセクションと、トラップセクション内のアニマルの存在を検出するように機能でき、かつ、制御手段にそうした存在を信号で知らせるよう構成されたアニマル検出手段（１３８，２４２，３０６）とを具備し、制御手段は、信号を受け取ったとき、可動壁セクション（１３６，２２８，３１４）の移動を引き起こし、これによってトラップセクションのサイズを変更するよう機能できる。
2015503928.tif 000002
【特許請求の範囲】
【請求項１】
アニマルトラップであって、
少なくとも一つの可動壁セクションを有するトラップセクションであって、前記少なくとも一つの可動壁セクションは、前記トラップセクションのサイズが変化するように前記トラップセクションの一つ以上のその他の壁に対して移動可能であるトラップセクションと、
前記トラップセクション内のアニマルの存在を検出するように機能でき、かつ、制御手段にそうした存在を信号で知らせるよう構成されたアニマル検出手段と、を具備し、前記制御手段は、前記信号を受け取ったとき、前記可動壁セクションの移動を引き起こし、これによって前記トラップセクションのサイズを変更するよう機能できることを特徴とするアニマルトラップ。
【請求項２】
前記アニマル検出手段は光のビームを備え、この光のビームは、好ましくは、前記トラップセクションの少なくとも一部を横切って放射されることを特徴とする請求項１に記載のアニマルトラップ。
【請求項３】
前記制御手段はさらに、前記アニマル検出手段の作動をユーザーに通知するように動作可能な通知システムを備えることを特徴とする請求項１または請求項２に記載のアニマルトラップ。
【請求項４】
前記アニマルトラップは、引き出しを備えた、捕獲アニマル貯蔵手段を備え、前記引き出しは前記アニマルトラップから取り外し可能であることを特徴とする請求項１ないし請求項３のいずれか１項に記載のアニマルトラップ。
【請求項５】
前記トラップセクションは、アニマル、例えばリスが前記トラップセクション内へとよじ登ることができるように、使用中、略垂直に配置することが可能であることを特徴とする請求項１ないし請求項４のいずれか１項に記載のアニマルトラップ。
【請求項６】
さらに単一ストロークエアシリンダーを備えることを特徴とする請求項１ないし請求項５のいずれか１項に記載のアニマルトラップ。
【請求項７】
さらに空気動力ラムを備えることを特徴とする請求項１ないし請求項６のいずれか１項に記載のアニマルトラップ。
【請求項８】
前記空気動力ラムは前記単一ストロークエアシリンダーによって駆動されるよう構成されることを特徴とする請求項６を引用した場合の請求項７に記載のアニマルトラップ。
【請求項９】
前記アニマル検出手段によるアニマルの検出時、前記少なくとも一つの可動壁が前記空気動力ラムによって移動させられることを特徴とする請求項７に記載のアニマルトラップ。
【請求項１０】
圧縮空気供給源の圧力を検出するよう機能できる圧力計をさらに備えることを特徴とする請求項１ないし請求項９のいずれか１項に記載のアニマルトラップ。
【請求項１１】
好ましくはシステムを非作動状態とするか、あるいはシャットダウンするように機能できる制御バルブをさらに備えることを特徴とする請求項１ないし請求項１０のいずれか１項に記載のアニマルトラップ。
【請求項１２】
前記制御バルブは、圧縮空気供給源の圧力が設定リミットを下回るまで低下したとき、前記システムをシャットダウンするように動作可能であることを特徴とする請求項１１に記載のアニマルトラップ。
【請求項１３】
最小圧縮空気圧力に関する前記設定リミットは少なくとも３バールであることを特徴とする請求項１２に記載のアニマルトラップ。
【請求項１４】
前記アニマルトラップはさらに、システムがシャットダウンされたとき、制御バルブによって作動可能な警告システムを備えることを特徴とする請求項１ないし請求項１３のいずれか１項に記載のアニマルトラップ。
【請求項１５】
ストロークが実行された後、前記可動壁セクションを後退させるように機能できる後退スプリングをさらに備えることを特徴とする請求項１ないし請求項１４のいずれか１項に記載のアニマルトラップ。
【請求項１６】
前記アニマルトラップはさらに、ユーザーによって起動させられた時、デバイスをシャットダウンするように機能できる安全スイッチを備えることを特徴とする請求項１ないし請求項１５のいずれか１項に記載のアニマルトラップ。
【請求項１７】
アニマルの捕獲方法であって、請求項１ないし１６のいずれか１項に記載のアニマルトラップの使用を含むことを特徴とする方法。
【発明の詳細な説明】
【技術分野】
【０００１】
本発明はアニマルトラップに、特にラットおよびマウスを捕獲するのに適したトラップといった齧歯類トラップに関する。
【背景技術】
【０００２】
あるアニマルが特定の状況下では害獣であることは周知の事実である。しばしば害獣と見なされるアニマルの特定の目（もく）は齧歯目（齧歯類）である。齧歯類、特にマウスおよびラットは、建物および種子／穀粒倉庫に対するダメージを引き起こすことによって大きな問題を提起することがある。多くの齧歯類はまた、疾病を伝染させ、広めることが知られている。
【０００３】
齧歯類の個体数を調節するための数多くのシステムおよびデバイスが知られている。例えば、毒が齧歯類によって摂取されるように投与されることがあり、齧歯類は、その後徐々に死ぬように放置される。これに代えて、齧歯類を捕獲し、たいていはそれを非常に素早く殺すための従来型のマウストラップといった機械式システムが知られている。
【０００４】
だが、既存のシステムおよびデバイスの多くは、関連する問題が知られている。例えば、多くの公知のシステムは不必要に残酷であり、齧歯類に過度の痛みや苦しみをもたらすことがある。従来型のマウストラップといった機械式システムは、齧歯類の死は、たいてい、瞬間的であるので、僅かな苦しみしかもたらさないであろうが、リセットされる前に一度使用できるに過ぎない。さらに、多くの周知のシステムおよびデバイスは、ネコやイヌなどのその他の非ターゲットアニマルに対して脅威を与えることがあり、あるいは小さな子供に対するリスクをもたらすことさえある。
【発明の概要】
【発明が解決しようとする課題】
【０００５】
本発明の態様の目的は、上記のまたはその他の問題に一つ以上の解決策を提供するである。
【課題を解決するための手段】
【０００６】
本発明の第１の態様によれば、アニマルトラップであって、少なくとも一つの可動壁セクションを有するトラップセクションであって、少なくとも一つの可動壁セクションは、トラップセクションのサイズが変化するようにトラップセクションの一つ以上のその他の壁に対して移動可能であるトラップセクションと、トラップセクション内のアニマルの存在を検出するように機能でき、かつ、制御手段にそうした存在を信号で知らせるよう構成されたアニマル検出手段とを具備し、制御手段は、信号を受け取ったとき、可動壁セクションの移動を引き起こし、これによってトラップセクションのサイズを変更するよう機能できるアニマルトラップが提供される。
【０００７】
好ましくは、アニマルトラップは、ラットトラップあるいはマウストラップといった齧歯類トラップである。アニマルのトラップは、リス科動物トラップ、例えばリストラップであってもよい。  
【０００８】
好ましくは、アニマル検出手段は圧力検出手段を備え、当該手段は好ましくはトラップセクションの床の少なくとも一部の上に配置される。好ましくは、圧力検出手段は、アニマルがその上に立った時に制御手段に信号を送るよう機能できる。
【０００９】
任意選択で、アニマル検出手段は光のビームを備えてもよく、この光のビームは、好ましくは、トラップセクションの少なくとも一部を横切って放射される。好ましくは、光のビームはレーザービームである。好ましくは、この光のビームがアニマルによって遮断させるとき、信号が制御手段へと送信される。
【００１０】
好ましくは、制御手段は電子回路を備える。好ましくは、アニマル検出手段は、アニマルの検出時、電子回路を完全なものとするように機能できる。好ましい実施形態では、アニマル検出手段は、それへの圧力を検出したとき、制御手段の電子回路を完全なものとするように機能できる圧力検出手段を備える。
【００１１】
任意選択で、制御手段はさらに通知システムを備えていてもよい。好ましくは、通知手段は、アニマル検出手段の作動をユーザーに通知するように動作可能である。好ましくは、通知手段は、この作動を遠隔的にユーザーに通知するように動作可能である。さらに好ましくは、通知システムは、遠隔受信デバイスへのワイヤレス送信を用いて遠隔的にユーザーに通知するよう機能できる。そうした受信デバイスは、これに限定されるわけではないが、ＰＣ、モバイルフォン、タブレット、ラップトップ、ページャー、あるいはその他のコンピュータデバイスが挙げられる。有利なことには、ユーザーが遠隔的に通知を受けたとき、ユーザーはアニマルトラップが作動したことを知り、そして何らかのアニマルのためのトラップをチェックすることを気付かされる。さらに、ユーザーが、どれだけ多くのアニマルが捕獲されているか、そしていつアニマルトラップが空になることが必要になるかを監視することが可能であってもよい。
【００１２】
好ましくは、アニマルトラップは捕獲アニマル貯蔵手段を備える。捕獲アニマル貯蔵手段は、アニマルトラップから取り外し可能であってもよい。捕獲アニマル貯蔵手段は、使用時、複数の捕獲されたアニマルを貯蔵するよう機能できるようになっていてもよい。例えば、捕獲アニマル貯蔵手段は、３匹、４匹、５匹、８匹、１０匹あるいはそれ以上の捕獲されたアニマルを貯蔵するよう機能できるようになっていてもよい。
【００１３】
任意選択で、捕獲アニマル貯蔵手段は、引き出しを備えてもよく、この引き出しはアニマルトラップから取り外し可能であってもよい。好ましくは、引き出しは、アニマルトラップからスライド式に取り外し可能である。有利なことには、そうした引き出しは、アニマルトラップそれ自体を妨害ことなく、捕獲されたアニマルをアニマルトラップから移動させることを可能とする。さらに、アニマルトラップは、アニマルトラップの機能性の損失を回避するために第２の引き出しがアニマルトラップに取り付けられている間に第１の引き出しをアニマルトラップから取り出して空にできるように、複数の引き出しを備えていてもよい。
【００１４】
有利なことには、捕獲アニマル貯蔵手段は、トラップが１匹以上の捕獲されたアニマルを貯蔵することを可能とし、したがって、トラップは、人間の介在によって、各使用の後にリセットされることを必要としない。また、アニマルトラップに再度餌を置く必要はない。というのは、餌はアニマルがアクセスできない領域に置かれるからである。
【００１５】
好ましくは、トラップセクションはインパクト面を備え、これは、好ましくは、概して少なくとも一つの可動壁セクションに向き合って配置される。
【００１６】
インパクト面は、インパクト壁にあるいはそれに隣接して配置されてもよい。インパクト面は、それを貫通する開口を備えていてもよい。この開口は捕獲アニマル貯蔵手段内へと開口していてもよい。
【００１７】
インパクト面は、好ましくはインパクト壁の開口の上に配置されたフラップを備えてもいてもよい。
【００１８】
インパクト面は、インパクト壁に対して移動可能であるように配置されてもよい。インパクト面は、インパクト壁に対してヒンジ方式で連結されてもよい。
【００１９】
好ましくは、インパクト面は、好ましくはインパクト壁の開口を経て、トラップセクションからアニマル貯蔵手段へと捕獲されたアニマルが移動させられることを可能とするように、インパクト壁に対して配置される。
【００２０】
インパクト面は、アニマル貯蔵手段からトラップセクションへのアクセスを阻止するように配置されてもよい。
【００２１】
インパクト面は、インパクト壁の開口を経てトラップセクションからアニマル貯蔵手段内へアニマルが入り込むことを可能とするが好ましくはアニマル貯蔵手段からトラップセクションへのアクセスを阻止するためのワンウェイドアを提供するようにインパクト壁に対して配置されてもよい。
【００２２】
ある実施形態では、トラップセクションの床は、トラップセクションから捕獲アニマル貯蔵手段内へのアクセスを可能とし得る開口を備えていてもよい。
【００２３】
好ましくは、少なくとも一つの可動壁セクションは、使用時、インパクト面に対してアニマルを押し付けるように機能できる。
【００２４】
使用時、少なくとも一つの可動壁は、インパクト面に向って移動するよう機能できるようになっていてもよく、かつ、所定の時間にわたってそうしたポジションに留まるよう機能できるようになっていてもよい。例えば、使用時、少なくとも一つの可動壁はインパクト面に向って移動するよう機能できるようになっていてもよく、かつ、少なくとも５秒、好ましくは少なくとも１０秒、さらに好ましくは少なくとも２０秒の間、そうしたポジションに留まるよう機能できるようになっていてもよい。そうした実施形態では、使用時、少なくとも一つの可動壁は、インパクト面に向って移動するよう機能できるようになっていてもよく、かつ、少なくとも３０秒の間、そうしたポジションに留まるよう機能できるようになっていてもよい。
【００２５】
このようにして、アニマルは、所定の延長された時間の間、適所にて捕えられてもよく、これによってアニマルが死ぬ可能性が高まる。
【００２６】
少なくとも一つの可動壁は、好ましくは使用時にアニマルと接触するよう機能できるその少なくとも一部に、波形部分を有していてもよい。
【００２７】
本デバイスは、トラップが跳ねた回数をカウントするためのカウンターを備えていてもよい。
【００２８】
好ましくは、トラップセクションは、その中へのアニマルのアクセスを可能とするためのドアを備える。好ましくは、ドアはアニマルが捕獲されるのに適した形状／サイズである。
【００２９】
ある実施形態では、トラップセクションは、アニマル、例えばリスがトラップセクション内によじ登ることができるように、概して垂直に配置されてもよい。
【００３０】
好ましくは、少なくとも一つの可動壁セクションは、バッテリーを備えていてもよい電源によって移動可能である。
【００３１】
好ましくは、少なくとも一つの可動壁セクションは、ロッドに対して連結されるが、このロッドは好ましくはフライホイールの表面に連結される。好ましくは、ロッドが、フライホイールの表面に対して、中心からずれて連結される。
【００３２】
好ましくは、少なくとも一つの可動壁セクションは、ロッドに対して連結されるが、このロッドは、好ましくは、フライホイールの回転が少なくとも一つの可動壁セクションの往復運動を追いかけるように、フライホイールの表面に連結される。
【００３３】
アニマルトラップは、少なくとも一つの可動壁セクションの移動を引き起こすよう機能できるようになっていてもよいモーターを含んでもよい。
【００３４】
モーターは、フライホイールを回転させるよう機能できるようになっていてもよい。
【００３５】
アニマル検出手段によるアニマルの検出がフライホイールの回転を引き起こしてもよい。
【００３６】
代替実施形態では、少なくとも一つの可動壁セクションは、圧縮空気によって動作可能であってもよい。このような実施形態では、トラップは、圧縮空気の供給源を備えていても、あるいはそれに対して取り付けられるよう構成されてもよい。好ましくは、圧縮空気の供給源はアニマルトラップ内に収容される。
【００３７】
アニマルトラップはさらに、単一ストロークエアシリンダーを備えてもよい。好ましくは、単一ストロークエアシリンダーは、圧縮空気の供給によって動力供給される。
【００３８】
アニマルトラップはさらに、空気動力ラムを含んでもよい。好ましくは、空気動力ラムは、単一ストロークエアシリンダーによって駆動されるようになっている。好ましくは、アニマル検出手段によるアニマルの検出時、少なくとも一つの可動壁が空気動力ラムによって移動させられる。
【００３９】
任意選択で、アニマルトラップは、さらに圧力計を備えることができる。好ましくは、圧力計は、圧縮空気供給源の圧力を検出するよう機能できる。有利なことには、圧力計は、システム内の危険な破壊または空気漏れを発生させるかもしれないシステム過圧を回避するためにチェックすることができる。
【００４０】
任意選択で、アニマルトラップはさらに制御バルブを備えることができる。好ましくは、制御バルブは、システムを非作動化するかあるいはシャットダウンさせるように機能できる。さらに好ましくは、制御バルブは、圧縮空気供給源の圧力が設定リミットを下回るとき、システムをシャットダウンするように機能できる。好ましくは、設定リミットは、空気動力ラムが瞬時にアニマルを殺すのに十分な力で可動壁を移動させるように、単一ストロークエアシリンダーに動力を供給するのに必要な最小圧縮空気圧力である。さらに好ましくは、設定リミットは、トラップを、除去する必要があるアニマルの侵入に合わせて調整することができるように、ユーザーによって調整可能である。例えば、より高い圧力が、ラットのような大型の齧歯類のために必要とされ、そして低い圧力が、マウスのような小型の齧歯類のために必要とされるであろう。好ましくは、最小の圧縮空気圧力の設定リミットは少なくとも３バールである。さらに好ましくは、圧縮空気圧力は、７ないし１０バールの最適なレベルに留まる。
【００４１】
好ましくは、圧力計および制御バルブは、互いに通信するように機能できる。さらに好ましくは、圧力計は、圧縮空気供給源の圧力を検出し、そして続いて情報を処理する制御バルブへと、この情報を伝達することができる。好ましくは、制御バルブは、圧力計によって伝達された圧力を設定リミットと比較し、そしてアクションを決定することによって情報を処理する。圧力が設定リミットを下回る場合、好ましくは制御バルブはシステムをシャットダウンする。好ましくは、制御バルブは、圧縮空気供給源からの圧縮空気の放出を抑えることによりシステムをシャットダウンする。圧力が設定リミットを上回る場合、好ましくは、制御バルブは、圧縮空気の供給が単一ストロークエアシリンダーに対して続行することを可能とする。
【００４２】
好ましくは、したがって、アニマル検出手段によるアニマルの検出時、少なくとも一つの可動壁が空気動力ラムによって移動させられる前に、圧力計および制御バルブが情報をやり取りする。
【００４３】
任意選択で、アニマルトラップは、システムがシャットダウンされたとき、制御バルブによって機能できる警告システムを備えることができる。警告システムは、空気圧が低過ぎることをユーザーに伝えるための、光、可聴アラームまたは遠隔電子的通知を伴っていてもよい。したがって、ユーザーは、この場合、圧縮空気供給源を交換するように通知される。
【００４４】
有利なことには、制御バルブは、圧縮空気の圧力が、アニマルが瞬時に殺されるようにシステムが作動するには低過ぎるかどうかをアニマルトラップが検出することを可能とする。それはまた、システムを、除去する必要があるアニマルに合わせて調整することを可能とする。これにより、トラップ内のアニマルが不要な痛みや苦しみを受けることがなくなり、かつ、アニマルトラップを可能な限り人道的なものとすることができる。さらに、制御バルブは、ユーザーに対して害を及ぼし得る、アニマルトラップが空になったときにアニマルが生きている可能性を排除する。
【００４５】
アニマルトラップはさらに後退スプリングを備えることができる。好ましくは、後退スプリングは、ストロークが実行された後に、可動壁セクションを後退させるように機能できる。したがって、好ましくは、後退スプリングは、第１の端部において可動壁セクションに対して、そして第２の端部においてアニマルトラップの壁に対して取り付けられる。ストロークが実行されるとき、可動壁セクションはインパクトセクションに向かって移動し、かつ、後退スプリングを引き延ばし、ストロークが完全に実行された後、後退スプリングは続いて収縮し、可動壁セクションをその起動位置へと戻るように引っ張る。
【００４６】
ここまで、そして以下で使用する「後退スプリング」との用語は、ストロークの後、可動壁セクションを後退させるために受動的に跳ね返ることができる、あらゆるスプリングを包含することを意図している。それは、決して、アニマルトラップ内での他の目的のためのスプリングの使用を包含せず、それは、特に、アニマルを絶命させる機構のためのスプリングの使用を含まない。
【００４７】
代替実施形態では、後退スプリングは、単一ストロークエアシリンダー内に配置することができる。好ましくは、このような場合、後退スプリングは、第１の端部において空気動力ラムに、そして第２の端部においてシリンダー自体に取り付けられる。
【００４８】
任意選択で、アニマルトラップはさらに安全スイッチを備えることができる。安全スイッチは、ユーザーによって起動されたとき、デバイスをシャットダウンするように機能できる。スイッチは、直接接触あるいは遠隔操作によって起動されてもよい。好ましくは、安全スイッチは、それが誤って起動されないように、アニマルトラップの後壁に配置される。有利なことには、安全スイッチによって、ユーザーは遠隔操作によってさえアニマルトラップの働きを制御することが可能であり、かつ、ユーザーはトラップの場所を訪れることなく制御バルブからの警告通知に応答することが可能であってもよい。
【００４９】
本発明のさらなる態様によれば、アニマルを捕獲する方法が提供され、本方法は、アニマル検出手段を用いてアニマルトラップのトラップセクションにおけるアニマルの存在を検出することを備え、アニマル検出手段は、制御手段にアニマルの存在を信号で知らせ、制御手段は、それによってトラップセクションのサイズを変化させるために、トラップセクションの可動壁セクションの移動を引き起こす。
【００５０】
本明細書に記載した特徴の全ては、いかなる組み合わせで、上記態様のいずれかと組み合わされてもよい。
【００５１】
本発明のさらなる理解のために、そしてその実施形態をどのようにして実施できるかを示すために、ここで、実施例として、図面を参照する。
【図面の簡単な説明】
【００５２】
【図１】齧歯類トラップの第１の部分の斜視図である。
【図２】齧歯類トラップの第２の部分の斜視図である。
【図３】一つに組み立てられた齧歯類トラップの第１および第２の部分の斜視図である。
【図４】齧歯類トラップの第１の部分の部分破断斜視図である。
【図５】齧歯類トラップの制御プレートを示す図である。
【図６】齧歯類トラップの第１の部分の平面図を示す。
【図７】齧歯類トラップの第２実施形態の斜視図を示す。
【図８】齧歯類トラップの第２実施形態の底部の斜視図である。
【図９】齧歯類トラップの第２実施形態の内部斜視図である。
【図１０】齧歯類トラップの第２実施形態の内部平面図である。
【図１１】リスとの使用に適したアニマルトラップのさらなる実施形態を示す図である。
【発明を実施するための形態】
【００５３】
図１を参照すると、齧歯類トラップ１０６の第１の部分１０２が示されている。この第１の部分１０２は、対向する短い壁１１０，１１２および対向する長い壁１１４，１１６を有する直方体ボックス１０８を備える。長い壁１１４の第１のものには、その下側コーナーに向かって、円形穴１１８が存在し、これは、壁を貫通してボックス１０８の内部へと延びている。対向する長い壁１１６の上縁から延在するのは蓋１２０である。この蓋１２０は、ヒンジ１２２によって壁１１６に連結されており、図１には開放状態で示されている。
【００５４】
短い壁１１２の第２のものには、フラップ１２６で覆われた開口１２４が存在する。フラップ１２６は、ボックス１０８の外面に取り付けられ、開口１２４よりもわずかに大きい。フラップ１２６は、開口１２４の上縁上方で側壁１１２に対してヒンジ結合される。開口１２４およびフラップ１２６について以下でさらに詳しく説明する。
【００５５】
ボックス１０８のベースは、そこから延びる脚１２５を有し、これによってボックスは、それが置かれる面から、わずかに持ち上げられている。
【００５６】
ここで図２を参照すると、齧歯類トラップ１０６の第２の部分１０４が示されている。第２の部分１０４は、部分的に取り囲まれた収集ボックスを残すように切り欠かれた、その大部分を有する直方体ボックスを備える。第２の部分１０４の切り欠きセクションの上端部に面しているのはクリップ１２８であり、これは、以下で説明するように、第２の部分１０４が第１の部分１０２に対して固定されることを可能とする。第２のセクションの上面にはハンドル１３０が存在する。図３に示すように、切り欠き部は、第１の部分に対応しかつその周囲に嵌るような形状とされる。
【００５７】
ここで図３を参照すると、齧歯類トラップ１０６を形成するために互いに結合された第１のセクション１０２および第２のセクション１０４が示されている。図２に関して既に説明したように、２の部分は第１の部分を収容し、かつ、その周囲に嵌合する。さらに詳しくは、第２の部分は、短い壁１１２の第２のものの上に嵌ると共に、ボックス１０８のベースの一部の周りでかつその下方で延在する。
【００５８】
ここで図４を参照すると、長い壁１１４のほとんどが除去されかつ短い壁１１０が除去された、第１の部分１０２の部分断面が示されている。
【００５９】
ボックス１０８内には、壁１３６によって分離された二つの領域１３２，１３４が存在する。第１の領域１３２は、長い壁１１４の孔１１８を介してアクセス可能であり、かつ、その床上に感圧セクション１３８を備える。第２の領域１３４は、トラップ１０６を作動させるための電気的および機械的コンポーネントを備える。
【００６０】
さらに詳しく言うと、第２の領域１３４は、自動車スタータモーター等のモーター１４２に接続された、１２ボルトの自動車バッテリー等のバッテリー１４０を備える。モーターは円形フライホイール１４４に接続されているが、これは軸に垂直に搭載され、かつ、モーター１４２によってそうさせられたとき自由に回転する。フライホイール１４４は、当該フライホイール１４４が回転したときロッド１４６が往復動作するように、中心からずれて、その面に結合されたロッド１４６を有する。
【００６１】
ロッド１４６は壁１３６に連結されている。壁１３６は、それが往復動することを可能とするように、ランナー１４８上に配置されている。第２の領域１３４はまた、壁１１６内のベント１４９および安全スイッチ１５５を有する。安全スイッチ１５５は、電気的接続部１５６によって手動または遠隔操作でモーター１４０をシャットダウンするよう機能できる。
【００６２】
図５は、齧歯類トラップ１０６の動作を制御するための、その上に電気回路１５２（リレーなど）を有するプレート１５０を示している。プレート１５０は、ボックス１０８内で直立ロッド１５４の上に開口１５３を介して位置する。
【００６３】
図６は、ボックス１０８の内部の平面図であり、図４と同じ参照数字が付されている。ここで認識できるのは、ボックス１０８の第１の領域１３２のベースに対して第１の端部において、そしてロッド１３６に対して第２の端部において接続された後退スプリング１４７である。後退スプリング１４７は、ロッド１３６がストロークを実行した後に、壁１３６を後退させることを可能とする。
【００６４】
使用時、齧歯類トラップ１０６は以下のように作動する。食物（図示せず）が第２の領域１３４に配置され、かつ、空気がベント１４９を通って食物（図示せず）の上を流れ込み、これによって食物の匂いが、それに対して齧歯類を引き寄せるために、トラップ１０６の周囲に運ばれる。
【００６５】
齧歯類は、穴１１８を経てトラップ１０６に入る。穴は、ラットやマウスといったターゲット齧歯類にとって好適なサイズである。したがって、齧歯類は、第１の領域１３２内へとボックスに入り、そして感圧パッド１３８上へと歩く。これによって電気回路は完全なものとなり、これによってリレーが起動させられ、モーターが作動させられると共にフライホイールが回転させられ、これによって壁を齧歯類に向って急速に移動させられ、それをフラップ１２６に衝突させて押し潰す。齧歯類は、ほとんど瞬時に死ぬ。電気回路は、起動後、リセットするために数秒を要し、その時間内で、ホイールは、休止状態になる前に、数回、さらにゆっくりと回転する。このさらなる回転によって、齧歯類は、第２のセクション１０４内へとフラップ１２６を経て押しやられる。その後、後退スプリング１４７が収縮し、ランナー１４８に沿ってその起動位置へ戻るように壁１３６を引っ張る。
【００６６】
第２のセクションは、その後、多数の齧歯類が捕捉された場合に、取り外して空にすることができる。
【００６７】
ここで図７ないし図１０を参照すると、齧歯類トラップ２０２の第２実施形態が示されている。図７を参照すると、齧歯類トラップ２０２は、トレイ２０６の上に着座したボックス２０４を備える。ボックス２０４は、その上面２１０にハンドル２０８を、そしてその側面２１４にサイドハンドル２１２を備える。ボックス２０４の前面２１６の下側コーナーに近くに存在するのは開口２１８であり、それを経て齧歯類はボックス２０４に入ることができる。
【００６８】
ボックス２０４はトレイ２０６の上に着座し、この二つはクリップ２２０によって一つに保持される。
【００６９】
図８を参照すると、ボックス２０４から取り外されたトレイ２０６が示されている。サポートブラケット２２２をボックス２０４内に見ることができるが、使用時には、その上でボックス２０４が支持される。
【００７０】
任意選択で、ボックス２０４は、トレイ２０６と同様に（ただしボックス２０４と連続したケーシング（図示せず）内には収容されない）、引き出し（図示せず）の上に載ってもよい。このような例（図示せず）では、トラップ２０２は単一のユニットであり、かつ、引き出しはボックス２０４の下側部分においてケーシング内に着座する。引き出しは、その後、空にされるトラップからからスライド式に取り外すことができる。これに関して、引き出しは、クリップを必要とせずに、ケーシングによって適所に保持されてもよい。
【００７１】
ここで図９および図１０を参照すると、ボックス２０４の内部が示されている。内部は、可動壁２２８と対向する静止壁２２６を有するトラップコンパートメント２２４を備える。可動壁２２８は単一ストロークエアシリンダー２３０内に収容された空気動力ラム２３１に対して取り付けられ、これは、今度は、空気ライン２３３、空気バルブ２３８および制御バルブ２５８を介して、圧縮ガス供給源２３２に取り付けられている。制御バルブ２５８は、供給源２３２内の空気の圧力がトラップ２０２内でアニマルを絶命させるために必要な設定リミットを下回ったことが検出されたとき、供給源２３２からの空気の放出をやめることによって、システムをシャットダウンする。
【００７２】
後退スプリング２４７は、単一ストロークエアシリンダー２３０のサポート２３５に対して第１の端部において、かつ、壁２２８に対して第２の端部において連結される。後退スプリング２４７によって、ラム２３１がストロークを実行した後に、壁２２８を後退させることが可能となる。
【００７３】
ボックス２０４の内部はまた、タイマーリレー２３６に接続されたバッテリー２３４と、供給タンク内の圧力をダイヤルから読み取ることを可能とする圧縮ガス供給源２３２上に配置された圧力計２５７とを含む。安全スイッチ２５５がさらに、壁２１６の上に配置され、かつ、接続部２５６を介してバッテリー２３４に接続されている。安全スイッチ２５５は、ユーザーによって起動されたとき、手動であるいは電気的接続部２５６を介して遠隔操作で、バッテリー２３４をシャットダウンするように機能できる。
【００７４】
任意選択で、圧力計２５７は、エアシリンダー２３０のストロークを実施するために空気ライン２３３を介して空気が放出される前に、圧力計２５７が制御バルブ２５８へと圧縮空気供給源内の空気の圧力に関する情報を伝達することを可能とするために、接続部（図示せず）によって制御バルブ２５８に対して接続されてもよい。
【００７５】
任意選択で、後退スプリング２４７は、図示のように別体とされる代わりに、単一ストロークエアシリンダー内に収容されてもよい。その場合、後退スプリング２４７の第１の端部は空気動力ラム２３１に連結され、かつ、後退スプリング２４７の。第２の端部はシリンダー２３０自体に連結される。
【００７６】
齧歯類トラップ２０２の第２実施形態は、以下のように、第１実施形態と同様に機能する。齧歯類は、開口２１８を介してトラップコンパートメント２２４に入り、トレイ２４０の上の食物に引きつけられる。（その上に立つことによって）感圧パッド２４２に圧力が加わったとき、齧歯類は回路を起動させる。回路によって、圧縮空気供給源２３２は、空気ライン２３３を通り、空気バルブ２３８を経て、単一ストロークエアシリンダー２３０内へと、制御バルブ２５８によって圧縮空気を放出させる（それが十分に高い圧力である場合）。単一ストロークエアシリンダーは、空気動力ラム２３１がシリンダー２３０から押し出されるまで、シリンダー２３０内のラム２３１の後方で加圧状態となる。ラムは、続いて、静止壁２２６に向かって高速で移動するように、取り付けられた可動壁２２８を押しやり、捕獲されたアニマルを押し潰し、それを壁に衝突させて瞬時に殺し、これによって、床２４４の穴を経てトレイ２０６内へとアニマルを落下させるが、これは、捕獲されたアニマル貯蔵手段として機能でき、しかも複数のアニマルを貯蔵することができる。このようにアニマルが捕獲される。
【００７７】
リスは、ある状況では、多産害獣であり、その個体数は調整が必要である。
【００７８】
したがって、ここで図１１を参照すると、リスを駆除するのに適したアニマルトラップ３０２のさらなる実施形態を示している。
【００７９】
トラップ３０２は、上述したトラップ２０２に多くの点で類似している。例えば、それは、圧縮ガス貯蔵シリンダー３０４、トラップ領域３０８内のリスの（図示せず）存在を検出するよう機能できる検出手段３０６を備え、この検出手段は、スイッチ３１０（これはラム３１２を作動させる）に信号を送信するように機能でき、これがラム３１２を作動させ、これによって、トラップ領域の別な面に接触するように方向矢印「Ｘ」で示すようにトラップ領域を横切って可動壁３１４を発射し、そしてこれによってリスを捕獲する。
【００８０】
発射プレート３１４は、トラップが跳ねた回数をカウントするように動作可能であるカウンター３１６に取り付けられる。トラップ３０２は、さらに、トラップ領域３０８から下方に延びるメッシュトンネル３１８を備える。トラップ領域の上部には、（アクセス開口３２２を介して）その上に餌を置くことができる格子３２０が存在する。
【００８１】
トラップ３０２は、使用時に、樹木等のような高い位置に配置されるように機能でき、かつ、その上側領域にあるいはそれに面して発射プレートを備えて、トラップ領域が垂直に配置されるように位置決めされる。
【００８２】
使用時、格子３２０上に置かれた餌を見つけたリスは、トラップ領域３０８内へとトンネル３１８を駆け上がる。トラップ領域に入ると、リスは、続いて、検出器３０６によって検出され、そして発射プレートが、トラップ領域３０８を横切って発射されかつリスに接触するように作動させられる。発射プレートは、圧力を開放しリセットする前に、ある時間（３０秒）の間、この位置に留まる。圧力の解放によって、今絶命したリスは解放されてトラップ３０２から落下する。このため、トラップ３０２は（第１および第２実施形態による）収集トレイを持つ必要がない。だが、カウンター３１６は、トラップが発射された回数を、したがって捕獲されたリスの数をユーザーに知らせるように機能できる。
【００８３】
本発明に基づいて製造されたアニマルトラップは、ターゲットアニマルの絶命が非常に迅速であり、したがって不要な虐待が回避されるという利点を有する。さらに、制御バルブは、トラップの働きを適切なものとすることを可能とし、そして、アニマルが絶命することなく痛みを伴う損傷状態となるリスクを阻止するためのフェイルセーフとして機能する。さらに、安全スイッチは、ユーザーがいつでもトラップの遠隔制御を実現することを可能とする。また、トラップは、リセットする必要性を伴わずに、多くのアニマルを捕獲することができる。さらに、捕獲したアニマルは取り外し可能なセクションあるいは引き出しに貯蔵され、したがってトラップは簡単に空にできる。
【００８４】
本願に関連した本明細書と同時にあるいはそれに先行して提出されかつ本明細書と共に公衆の閲覧に供されている、あらゆる論文および文献に対して注意が向けられ、あらゆるそうした論文および文献の内容は、この引用によって本明細書中に組み込まれる。
【００８５】
（特許請求の範囲、要約書および図面を含む）本明細書に開示された特徴の全て、および／またはそのように開示された方法またはプロセスのステップの全ては、そうした特徴および／またはステップの少なくともいくつかが相互に排他的である組み合わせを除いて、いかなる組み合わせで組み合わされてもよい。
【００８６】
（特許請求の範囲、要約書および図面を含む）本明細書に開示された各特徴は、明示的に断らない限り、同一、同等または類似の目的を果たす代替的特徴によって置き換えることができる。したがって、明示的に断らない限り、各開示された特徴は、一般的な一連の同等または類似の特徴の一例に過ぎない。
【００８７】
本発明は上記の実施形態の細部に限定されるものではない。本発明は、（特許請求の範囲、要約書および図面を含む）本明細書に開示された特徴の、あらゆる新規なものあるいはあらゆる新規な組み合わせに、あるいはそのように開示されたあらゆる方法あるいはプロセスのステップのあらゆる新規なものあるいはあらゆる新規な組み合わせに及ぶ。
【符号の説明】
【００８８】
１０２  第１の部分（第１のセクション）
１０４  第２の部分（第２のセクション）
１０６  齧歯類トラップ
１０８  直方体ボックス
１１０，１１２，１１４，１１６  壁
１１８  円形孔
１２０  蓋
１２２  ヒンジ
１２４  開口
１２５  脚
１２６  フラップ
１２８  クリップ
１３０  ハンドル
１３２  第１の領域
１３４  第２の領域
１３６  ロッド
１３８  感圧セクション（感圧パッド）
１４０  バッテリー
１４２  モーター
１４４  円形フライホイール
１４６  ロッド
１４７  後退スプリング
１４８  ランナー
１４９  ベント
１５０  プレート
１５２  電気回路
１５３  開口
１５４  直立ロッド
１５５  安全スイッチ
１５６  電気的接続部
２０２  齧歯類トラップ
２０４  ボックス
２０６  トレイ
２０８  ハンドル
２１０  上面
２１２  サイドハンドル
２１４  側面
２１６  前面
２１８  開口
２２０  クリップ
２２２  サポートブラケット
２２４  トラップコンパートメント
２２６  静止壁
２２８  可動壁
２３０  単一ストロークエアシリンダー
２３１  空気動力ラム
２３２  圧縮ガス供給源（圧縮空気供給源）
２３３  空気ライン
２３４  バッテリー
２３５  サポート
２３６  タイマーリレー
２３８  空気バルブ
２４０  トレイ
２４２  感圧パッド
２４４  床
２４７  後退スプリング
２５５  安全スイッチ
２５６  電気的接続部
２５７  圧力計
２５８  制御バルブ
３０２  アニマルトラップ
３０４  圧縮ガス貯蔵シリンダー
３０６  検出手段（検出器）
３０８  トラップ領域
３１０  スイッチ
３１２  ラム
３１４  可動壁（発射プレート）
３１６  カウンター
３１８  メッシュトンネル
３２０  格子
３２２  アクセス開口
【図１】
2015503928.tif 000003
【図２】
2015503928.tif 000004
【図３】
2015503928.tif 000005
【図４】
2015503928.tif 000006
【図５】
2015503928.tif 000007
【図６】
2015503928.tif 000008
【図７】
2015503928.tif 000009
【図８】
2015503928.tif 000010
【図９】
2015503928.tif 000011
【図１０】
2015503928.tif 000012
【図１１】
2015503928.tif 000013
【国際調査報告】
2015503928.tif 000014
2015503928.tif 000015
2015503928.tif 000016